(57)【要約】【課題】クロストーク現像が生じない発光素子及びその駆動方法を提供する。【解決手段】第１方向に配置されたスキャンラインＳ1〜S4と、第１方向と異なる第２方向に配置されたデータラインD1〜D2と、スキャンラインとデータラインが交差する領域に形成されるピクセルを含むパネル200と、外部装置から供給された表示データに従う補償電流をスキャンラインに供給するクロストーク防止部208とを含む発光素子。【選択図】図２
2006323389.tif 000002
【特許請求の範囲】
【請求項１】
第１方向に配置された複数のスキャンラインと、
前記第１方向と異なる第２方向に配置された複数のデータラインと、
前記スキャンラインと前記データラインとが交差する領域に形成されるピクセルを含むパネルと、
外部装置から供給された表示データに従う補償電流を前記スキャンラインに供給するクロストーク防止部と、を含むことを特徴とする発光素子。
【請求項２】
前記クロストーク防止部は、
前記外部装置から供給された表示データによって制御信号を発生する電流制御部と、
前記電流制御部から伝送された制御信号によって前記各スキャンラインに同一の電流が供給されるように前記スキャンラインにそれぞれ補償電流を印加する電流供給部と、を含むことを特徴とする請求項１に記載の発光素子。
【請求項３】
スキャン信号を前記スキャンラインに供給するスキャン駆動部と、
前記スキャン信号に同期されたデータ電流を前記データラインに供給するデータ駆動部と、
前記クロストーク防止部、前記スキャン駆動部及び前記データ駆動部の動作を制御する制御部と、をさらに含むことを特徴とする請求項１に記載の発光素子。
【請求項４】
前記発光素子は、有機電界発光素子であることを特徴とする請求項１に記載の発光素子。
【請求項５】
第１方向に延びた複数の第１スキャンライン及び第２方向に延びた複数の第２スキャンラインを含む多数のスキャンラインと、
前記多数のスキャンラインと交差するように配置された多数のデータラインと、
前記多数のスキャンラインと前記多数のデータラインが交差する領域に形成されるピクセルを含むパネルと、
外部装置から供給された表示データに従う補償電流を前記多数のスキャンラインに供給するクロストーク防止部とを含み、
前記クロストーク防止部は、
前記第１スキャンラインに接続され、前記第１スキャンラインに前記補償電流を供給する第１クロストーク防止部と、
前記第２スキャンラインに接続され、前記第２スキャンラインに前記補償電流を供給する第２クロストーク防止部とを含むことを特徴とする発光素子。
【請求項６】
前記第１クロストーク防止部は、
前記外部装置から供給された表示データによって第１制御信号を発生する第１電流制御部と、
前記第１電流制御部から伝送された第１制御信号によって前記各スキャンラインに流れる総電流値が同一となるように補償電流を前記第１スキャンラインにそれぞれ印加する第１電流供給部と、を含むことを特徴とする請求項５に記載の発光素子。
【請求項７】
第２クロストーク防止部は、
前記外部装置から供給された表示データによって第２制御信号を発生する第２電流制御部と、
前記第２電流制御部から伝送された第２制御信号によって前記各スキャンラインに流れる総電流値が同一となるように補償電流を前記第２スキャンラインにそれぞれ印加する第２電流供給部と、をさらに含むことを特徴とする請求項６に記載の発光素子。
【請求項８】
前記第１クロストーク防止部を前記第１スキャンラインに選択的に接続する第１スイッチング部と、
前記第２クロストーク防止部を前記第２スキャンラインに選択的に接続する第２スイッチング部と、をさらに含むことを特徴とする請求項５に記載の発光素子。
【請求項９】
前記第１スキャンラインに第１スキャン信号を供給する第１スキャン駆動部と、
前記第２スキャンラインに第２スキャン信号を供給する第２スキャン駆動部と、
前記スキャン信号に同期されたデータ電流を前記データラインに供給するデータ駆動部と、
前記クロストーク防止部、前記第１及び第２スキャン駆動部及び前記データ駆動部の動作を制御する制御部と、をさらに含むことを特徴とする請求項５に記載の発光素子。
【請求項１０】
前記発光素子は、有機電界発光素子であることを特徴とする請求項５に記載の発光素子。
【請求項１１】
スキャンラインとデータラインとが交差する領域に形成される多数のピクセルを含む発光素子の駆動方法において、
（ａ）外部装置から供給される表示データを受信する段階と、
（ｂ）前記受信された表示データによって前記スキャンラインに補償電流を供給する段階と、を含むことを特徴とする発光素子駆動方法。
【請求項１２】
前記段階（ｂ）は、
前記受信された表示データによって制御信号を発生させる段階と、
各スキャンラインに流れる総電流値が同一となるように前記制御信号によって前記補償電流を前記スキャンラインにそれぞれ供給する段階と、を含むことを特徴とする請求項１１に記載の発光素子の駆動方法。
【請求項１３】
（ｃ）スキャン信号を前記スキャンラインにそれぞれ供給する段階と、
（ｄ）前記受信された表示データに対応するデータ電流を前記データラインに供給する段階と、をさらに含むことを特徴とする請求項１１に記載の発光素子の駆動方法。
【請求項１４】
前記発光素子は、有機電界発光素子であることを特徴とする請求項１１に記載の発光素子の駆動方法。
【請求項１５】
第１スキャンライン及び第２スキャンラインを含むスキャンラインとデータラインとが交差する領域に形成される多数のピクセルを含む発光素子の駆動方法において、
（ａ）外部装置から供給される表示データを受信する段階と、
（ｂ）前記受信された表示データに従う補償電流を前記第１スキャンラインに印加する段階と、
（ｃ）前記受信された表示データに従う補償電流を前記第２スキャンラインに印加する段階と、を含むことを特徴とする駆動方法。
【請求項１６】
前記段階（ｂ）は、
前記受信された表示データによって第１制御信号を発生させる段階と、
前記第１制御信号によって前記補償電流を前記第１スキャンラインにそれぞれ印加する段階と、を含むことを特徴とする請求項１５に記載の発光素子の駆動方法。
【請求項１７】
前記段階（ｃ）は
前記受信された表示データによって第２制御信号を発生させる段階と、
前記発生された第２制御信号によって前記補償電流を前記第２スキャンラインにそれぞれ印加する段階と、を含むことを特徴とする請求項１５に記載の発光素子の駆動方法。
【請求項１８】
（ｄ）第１スキャン信号を前記第１スキャンラインにそれぞれ供給する段階と、
（ｅ）第２スキャン信号を前記第２スキャンラインにそれぞれ供給する段階と、
（ｆ）前記受信された表示データに対応するデータ電流を前記データラインに供給する段階と、をさらに含むことを特徴とする請求項１５に記載の発光素子の駆動方法。
【請求項１９】
各スキャンラインに流れる総電流値が、同一であることを特徴とする請求項１５に記載の発光素子の駆動方法。
【請求項２０】
前記発光素子は、有機電界発光素子であることを特徴とする請求項１５に記載の発光素子の駆動方法。
【発明の詳細な説明】
【技術分野】
【０００１】
本発明は、発光素子及びその駆動方法に関し、より詳しくは、クロストーク現象が発生しない発光素子及びその駆動方法に関するものである。
【背景技術】
【０００２】
有機電界発光素子は発光素子であり、所定の電圧が印加される場合、特定波長の光を発する。
図１（ａ）は、従来の有機電界発光素子を図示したブロック図であり、図１（ｂ）は、図１（ａ）のピクセル中の一部ピクセルに対する等価回路図である。
【０００３】
図１（ａ）を参照すると、従来の有機電界発光素子は、パネル１００、スキャン駆動部１０２、データ駆動部１０６及び制御部１０４を含む。
パネル１００は、データラインＤ１〜Ｄ４とスキャンラインＳ１〜Ｓ４とが交差する領域に形成される複数のピクセルＥ１１〜Ｅ４４を含む。
【０００４】
例えば、データラインＤ１〜Ｄ４に２０Ｖの電圧が印加され、スキャンラインＳ１〜Ｓ４に所定の電圧、０Ｖの電圧が印加されると、パネル１００に含まれたピクセルが発光する。
【０００５】
この場合、様々な原因により一部ピクセルが発光しないことがある。例えば、第３スキャンラインＳ３に位置するピクセル中の一部ピクセルＥ３３、Ｅ４３が発光しない場合、第３スキャンラインＳ３に流れる総電流値は、他のスキャンラインに流れる総電流値に比べて小さい。
【０００６】
従来の有機電界発光素子は、スキャンラインＳ１〜Ｓ４に同一の低論理電圧（０Ｖ）を有するスキャン信号を順次に供給する。従って、有機電界発光素子が理想的に動作する場合、各ピクセルのアノードとカソードとの間にかかる電圧は、２０Ｖと同一である。
【０００７】
しかし、実際に、各スキャンラインがそれぞれ有するライン抵抗（例えば、１６０Ω）及び一部発光しないピクセルＥ３３、Ｅ４３により、発光する残りのピクセルのカソード側にかかる電圧は同一ではない。
【０００８】
その結果、ピクセルのアノードとカソードとの間にかかる電圧が異なるため、同一輝度で発光するように設定されたピクセルが異なる輝度で発光する。このような現象をクロストーク（cross-talk）という。
【０００９】
例えば、第１スキャンラインＳ１に流れる総電流値が１４ｍＡで、第３スキャンラインＳ３に流れる総電流値が発光しないピクセルＥ３３、Ｅ３４により１０ｍＡとする。ここで、第１ピクセルＥ１１と第３ピクセルＥ１３が正常のとき、同一輝度で発光するように予め設定される。
【００１０】
この場合、スキャンラインのライン抵抗が１６０Ωであるので、第１スキャンラインＳ１に位置した第１ピクセルＥ１１のカソードとアノードとの間にかかる電圧は、図１（ｂ）に表されるように、２０Ｖ（ＶCC）−０Ｖ（第１スキャン信号の電圧）−２．２４Ｖ（１４ｍＡ×６０Ω、第１スキャンラインのライン電圧）＝１７．７６Ｖとなる。
【００１１】
相対的に、第３スキャンラインＳ３に位置した第３ピクセルＥ１３のカソードとアノードとの間にかかる電圧は２０Ｖ（ＶCC）−０Ｖ（第３スキャン信号の電圧）−１．６Ｖ（１０ｍＡ×６０Ω、第３スキャンラインのライン電圧）＝１８．４Ｖとなる。
【００１２】
即ち、第３スキャンラインＳ３に位置する発光するピクセルのカソードとアノードの両端にかかる電圧は、同一輝度で発光するように設定された他のスキャンラインに位置するピクセルにかかる電圧より大きい。その結果、第３スキャンラインＳ３に位置する発光するピクセルが他のスキャンラインに位置するピクセルより明るく発光する。
要するに、クロストーク現象によって設計者の目的と反対にピクセルの輝度が変わる。
【発明の開示】
【発明が解決しようとする課題】
【００１３】
上記の記載は、有機電界発光素子の例示として説明したが、このようなクロストーク現象は、発光素子に一般的に現れる現象である。従って、クロストークが発生しない発光素子及びその駆動方法が求められている。
【００１４】
本発明の目的は、クロストーク現象の発生を防止する発光素子及びその駆動方法を供給することにある。
【課題を解決するための手段】
【００１５】
本発明の一態様において、本発明の発光素子は、第１方向に配置された複数のスキャンラインと、第１方向と異なる第２方向に配置された複数のデータラインと、前記スキャンラインと前記データラインとが交差する領域に形成されるピクセルを含むパネルと、外部装置から供給された表示データに従う補償電流を前記スキャンラインに供給するクロストーク防止部と、を含んでいる。
【００１６】
本発明の他の態様において、本発明の発光素子は、第１方向に延びた複数の第１スキャンラインと、第２方向に延びた複数の第２スキャンラインを含む多数のスキャンラインと、前記多数のスキャンラインと交差するように配置された多数のデータラインと、前記多数のスキャンラインと前記多数のデータラインが交差する領域に形成されるピクセルを含むパネルと、外部装置から供給された表示データに従う補償電流を前記多数のスキャンラインに供給するクロストーク防止部とを含み、このクロストーク防止部は、前記第１スキャンラインに接続され、前記第１スキャンラインに前記補償電流を供給する第１クロストーク防止部と、第２スキャンラインに接続され、前記第２スキャンラインに前記補償電流を供給する第２クロストーク防止部と、を含んでいる。
【００１７】
本発明の他の相違する態様において、本発明は、スキャンラインとデータラインとが交差する領域に形成される多数のピクセルを含む発光素子の駆動方法において、（ａ）外部装置から供給される表示データを受信する段階と、（ｂ）受信された表示データによってスキャンラインに当該補償電流を供給する段階を含む駆動方法を供給する。
【００１８】
本発明の他の相違する態様において、本発明は、第１スキャンライン及び第２スキャンラインを含むスキャンラインとデータラインとが交差する領域に形成される多数のピクセルを含む発光素子の駆動方法において、（ａ）外部装置から供給される表示データを受信する段階と、（ｂ）受信された表示データに従う補償電流を前記第１スキャンラインに印加する段階と、（ｃ）受信された表示データに従う補償電流を前記第２スキャンラインに印加する段階とを含むことを特徴とする。
【００１９】
本発明によれば、クロストーク防止部によって供給される補償電流により各スキャンラインに流れる総電流が同一になるので、クロストーク現象が生じなくなる。
【発明の効果】
【００２０】
上述のように、本発明に係る有機電界発光素子及びその駆動方法は、クロストーク防止部を用いて各スキャンラインに流れる総電流を同一にするために、クロストーク現象が生じない長所がある。
【発明を実施するための最良の形態】
【００２１】
以下では、添付図面を参照して本発明に係る発光素子及びその駆動方法の好ましい実施形態について詳細に説明する。但し、以下で記述する本発明の実施形態で有機電界発光素子が発光素子の一例として提示される。しかし、本発明の技術思想が発光素子の一例である有機電界発光素子に限定されることを意味するものではない。
【００２２】
図２は、本発明の好ましい一実施形態に係る有機電界発光素子を図示した図である。
図２を参照すると、本発明の有機電界発光素子は、パネル２００、スキャン駆動部２０２、データ駆動部２０６、制御部２０４及びクロストーク防止部２０８を含む。
【００２３】
パネル２００は、複数のデータラインＤ１〜Ｄ４と複数のスキャンラインＳ１〜Ｓ４とが交差する領域に形成される複数のピクセルＥ１１〜Ｅ４４を含む。
ここで、スキャンラインＳ１〜Ｓ４は、ある一方向に延びる。即ち、全てのスキャンラインＳ１〜Ｓ４が一つのスキャン駆動部２０２と一方向、図２では左側方向で連結される。
【００２４】
スキャン駆動部２０２は、複数のスキャン信号をスキャンラインＳ１〜Ｓ４に順に伝送する。データ駆動部２０６は、制御部２０４を介して供給された表示データに対応するデータ信号をデータラインＤ１〜Ｄ４に伝送する。
データ信号がデータラインＤ１〜Ｄ４に伝送され、スキャン信号がスキャンラインＳ１〜Ｓ４に伝送される場合、ピクセルＥ１１〜Ｅ４４は発光する。
【００２５】
制御部２０４は、外部装置（未図示）から伝送された表示データを受信し、データ駆動部２０６及びクロストーク防止部２０８に伝送してスキャン駆動部２０２、データ駆動部２０６及びクロストーク防止部２０８の動作を制御する。
【００２６】
クロストーク防止部２０８は、電流制御部２１０及び電流供給部２１２を含む。電流制御部２１０は、制御部２０４を介して表示データの供給を受け、その後、表示データに対応する制御信号を電流供給部２１２に供給する。
【００２７】
電流供給部２１２は、電流制御部２１０から伝送された制御信号によって補償電流をスキャンラインＳ１〜Ｓ４にそれぞれ供給する。その結果、各スキャンラインＳ１〜Ｓ４に流れる総電流値は同一になる。
本発明の他の実施形態に係る電流供給部２１２は、１個の電流源を有し、制御信号に対応する補償電流をスキャンラインＳ１〜Ｓ４にそれぞれ供給する。
【００２８】
以下、本発明の有機電界発光素子の駆動方法を例示によって説明する。ここで、各スキャンラインＳ１〜Ｓ４のライン抵抗を１６０Ωと仮定する。まず、制御部２０４は、外部装置から表示データを受信してデータ駆動部２０６に伝送する。
【００２９】
続いて、データ駆動部２０６は、制御部２０４を介して供給された第１表示データによって第１データ信号、即ち、第１データ電流をデータラインＤ１〜Ｄ４に供給する。
その結果、例えば、第１データラインＤ１に１ｍＡの第１データ電流が、第２データラインＤ２に１ｍＡの第１データ電流が、第３データラインＤ３に３ｍＡの第１データ電流が、第４データラインＤ４に６ｍＡの第１データ電流が、それぞれ、流れる。
【００３０】
この場合、クロストーク防止部２０８は、制御部２０４を介して供給された第１表示データからデータラインＤ１〜Ｄ４に、総１１ｍＡの電流が流れていることを前もって把握する。
【００３１】
ここで、データラインＤ１〜Ｄ４に流れる第１データ電流が、ピクセルＥ１１〜Ｅ４１を介して第１スキャンラインＳ１に流れるので、クロストーク防止部２０８は、第１スキャンラインＳ１に１１ｍＡの電流が流れていることを前もって把握する。
【００３２】
その後、クロストーク防止部２０８は、９ｍＡの補償電流を第１スキャンラインＳ１に印加する。その結果、第１スキャンラインＳ１に、総２０ｍＡの電流が流れる。
続いて、データ駆動部２０６は、制御部２０４を介して供給された第２表示データによって第２データ信号、即ち、第２データ電流をデータラインＤ１〜Ｄ４に供給する。
【００３３】
その結果、例えば、第１データラインＤ１に２ｍＡの第２データ電流が、第２データラインＤ２に３ｍＡの第２データ電流が、第３データラインＤ３に３ｍＡの第２データ電流が、第４データラインＤ４に６ｍＡの第２データ電流が、それぞれ、流れる。
【００３４】
この場合、クロストーク防止部２０８は、第２スキャンラインＳ２に１４ｍＡの電流が流れていることを前もって把握する。
その後、クロストーク防止部２０８は、６ｍＡの補償電流を第２スキャンラインＳ２に印加する。その結果、第２スキャンラインＳ２には総２０ｍＡの電流が流れる。
【００３５】
即ち、本発明の有機電界発光素子は、上述した方法において、各スキャンラインＳ１〜Ｓ４に同一電流が流れるようにする。その結果、ピクセルＥ１１〜Ｅ４４のカソードに、３．２Ｖの同一電圧がかかるようになる。
【００３６】
要するに、本発明の有機電界発光素子ではピクセルＥ１１〜Ｅ４４のカソードに同一の電圧が印加されなかった従来の有機電界発光素子等と違ってピクセルＥ１１〜Ｅ４４のカソードに同一の電圧が印加される。
【００３７】
従って、本発明の有機電界発光素子では、従来の有機電界発光素子とは違って、クロストーク現象が生じない。
図３は、図２の有機電界発光素子を駆動する方法を図示した流れ図である。
【００３８】
図３を参照すると、スキャン駆動部２０２はスキャン信号をスキャンラインＳ１〜Ｓ４に順に供給する（Ｓ３００）。
続いて、制御部２０４は、外部装置から入力される表示データを受信する（Ｓ３０２）。
【００３９】
次いで、クロストーク防止部２０８は表示データに対応する補償電流を各スキャンラインＳ１〜Ｓ４に印加する（Ｓ３０４）。その結果、各スキャンラインＳ１〜Ｓ４に流れる総電流は同一になる。
【００４０】
続いて、データ駆動部２０６は、制御部２０４から供給される表示データに対応するデータ信号をデータラインＤ１〜Ｄ４に供給する（Ｓ３０６）。
その結果、ピクセルＥ１１〜Ｅ４４は、クロストーク現象が発生することなく所望の輝度で発光する。
【００４１】
図４は、本発明の好ましい他の実施形態に係る有機電界発光素子を図示した図である。
図４を参照すると、本発明の有機電界発光素子は、パネル３００、第１スキャン駆動部３０２、第２スキャン駆動部３０４、制御部３０６、データ駆動部３０８、第１クロストーク防止部３１０、第２クロストーク防止部３１２、第１スイッチング部３２２及び第２スイッチング部３２４を含む。
【００４２】
パネル３００はデータラインＤ１〜Ｄ４とスキャンラインＳ１〜Ｓ４とが交差する領域に形成される複数のピクセルＥ１１〜Ｅ４４を含む。
ここで、スキャンラインＳ１〜Ｓ４は第１方向に延びた第１スキャンラインＳ１、Ｓ３と第２方向に延びた第２スキャンラインＳ２、Ｓ４を含む。また、スキャンラインＳ１〜Ｓ４中の一部は、第１スキャン駆動部３０２に連結され、残りのスキャンラインは、第２スキャン駆動部３０４に連結される。
【００４３】
第１スキャン駆動部３０２は、複数の第１スキャン信号を第１スキャンラインＳ１、Ｓ３に順に伝送する。
第２スキャン駆動部３０４は、複数の第２スキャン信号を第２スキャンラインＳ２、Ｓ４に順に伝送する。
【００４４】
データ駆動部３０８は制御部３０６から伝送された表示データに対応するデータ信号をデータラインＤ１〜Ｄ４に伝送する。
データ信号がデータラインＤ１〜Ｄ４に伝送され、スキャン信号がスキャンラインＳ１〜Ｓ４に伝送される場合、ピクセルＥ１１〜Ｅ４４は発光する。
【００４５】
制御部３０６は、外部装置（未図示）から伝送された表示データを受信し、データ駆動部３０８、第１及び第２クロストーク防止部３１０、３１２に伝送し、第１及び第２スキャン駆動部３０２、３０４、第１及び第２クロストーク防止部３１０、３１２及びデータ駆動部３０８の動作を制御する。
【００４６】
第１クロストーク防止部３１０は、第１電流制御部３１４及び第１電流供給部３１６を含む。
第１電流制御部３１４は、制御部３０６から表示データの供給を受け、その後、表示データに対応する第１制御信号を第１電流供給部３１６に供給する。
第１電流供給部３１６は、第１電流制御部３１４から伝送された第１制御信号によって補償電流を第１スキャンラインＳ１、Ｓ３にそれぞれ供給する。
【００４７】
第２クロストーク防止部３１２は、第２電流制御部３１８及び第２電流供給部３２０を含む。
第２電流制御部３１８は、制御部３０６から表示データの供給を受け、その後、表示データに対応する第２制御信号を第２電流供給部３２０に供給する。
【００４８】
第２電流供給部３２０は、第２電流制御部３１８から伝送された第２制御信号によって表示データに対応する補償電流を第２スキャンラインＳ２、Ｓ４にそれぞれ供給する。その結果、各スキャンラインＳ１〜Ｓ４に流れる総電流は同一になる。
本発明の他の実施形態に係る電流供給部３１６、３２０は、それぞれ１個の電流源を含み、制御信号に対応する電流をスキャンラインＳ１〜Ｓ４にそれぞれ供給する。
【００４９】
第１スイッチング部３２２は、第１クロストーク防止部３１０と第１スキャンラインＳ１、Ｓ３との間の連結をスイッチングする。
第２スイッチング部３２４は、第２クロストーク防止部３１２と第２スキャンラインＳ２、Ｓ４との間の連結をスイッチングする。
【００５０】
例えば、第１クロストーク防止部３１０が所定電流をスキャンラインＳ１に印加する時、第１クロストーク防止部２１０とスキャンラインＳ１とを連結するために第１スイッチング部３２２の第１スイッチＳＷ１がターン−オンとなる。
この場合、残りのスイッチＳＷ２〜ＳＷ４はターン−オフとなる。
【００５１】
また、第２クロストーク防止部３１２が所定電流をスキャンラインＳ２に印加する時、第２クロストーク防止部３１２とスキャンラインＳ２とを連結するために、第２スイッチング部３２４の第３スイッチＳＷ３がターン−オンとなる。この場合、残りのスイッチＳＷ１、ＳＷ２、ＳＷ４はターン−オフとなる。
【００５２】
以下、本発明の有機電界発光素子の駆動方法を例示して説明する。ここで、各スキャンラインＳ１〜Ｓ４のライン抵抗を１６０Ωとして仮定する。まず、制御部３０６は、外部装置（未図示）から供給される第１表示データを受信してデータ駆動部３０８に伝送する。
【００５３】
続いて、データ駆動部３０８は、データ制御部３０６から供給された第１表示データによって、第１データ信号、即ち、第１データ電流をデータラインＤ１〜Ｄ４に供給する。
【００５４】
その結果、例えば、第１データラインＤ１に１ｍＡの第１データ電流が、第２データラインＤ２に１ｍＡの第１データ電流が、第３データラインＤ３に３ｍＡの第１データ電流が、第４データラインＤ４に６ｍＡの第１データ電流が、それぞれ流れる。
【００５５】
この場合、第１クロストーク防止部３１０は、制御部３０６から供給された第１表示データからデータラインＤ１〜Ｄ４に総１１ｍＡの第１データ電流が流れていることを前もって把握する。
【００５６】
ここで、データラインＤ１〜Ｄ４に流れる第１データ電流がピクセルＥ１１〜Ｅ４１を介してスキャンラインＳ１で流れるので、第１クロストーク防止部３１０は、スキャンラインＳ１に１１ｍＡの電流が流れていることを前もって把握する。
【００５７】
その後、第１クロストーク防止部３１０は９ｍＡの補償電流をスキャンラインＳ１に印加する。その結果、第１スキャンラインＳ１に総２０ｍＡの電流が流れる。
続いて、外部装置から第２表示データが制御部３０６に伝送され、制御部３０６は、受信された第２表示データをデータ駆動部３０８に伝送する。
【００５８】
次いで、データ駆動部３０８は、データ貯蔵部３０６から供給された第２表示データによって、第２データ信号、即ち、第２データ電流をデータラインＤ１〜Ｄ４に供給する。
その結果、例えば、第１データラインＤ１に２ｍＡの第２データ電流が、第２データラインＤ２に３ｍＡの第２データ電流が、第３データラインＤ３に３ｍＡの第２データ電流が、第４データラインＤ４に６ｍＡの第２データ電流が、それぞれ、流れる。
【００５９】
この場合、第２クロストーク防止部３１２は、スキャンラインＳ２に１４ｍＡの電流が流れていることを前もって把握する。
その後、第２クロストーク防止部３１２は、６ｍＡの補償電流をスキャンラインＳ２に印加する。その結果、スキャンラインＳ２には総２０ｍＡの電流が流れる。
【００６０】
即ち、本発明の有機電界発光素子は方式を利用して各スキャンラインＳ１〜Ｓ４に同一電流が流れるようにする。その結果、ピクセルＥ１１〜Ｅ４４の各カソードは３．２Ｖの電圧を有する。
【００６１】
要するに、本発明の有機電界発光素子ではピクセルＥ１１〜Ｅ４４の各カソードに同一電圧が印加されなかった従来の有機電界発光素子等と違ってピクセルＥ１１〜Ｅ４４のカソードに同一電圧が印加される。
従って、本発明の有機電界発光素子では従来の有機電界発光素子とは違ってクロストーク現象が生じない。
【００６２】
図５は、図４の有機電界発光素子を駆動する方法を図示した流れ図である。
図５を参照すると、第１及び２スキャン駆動部３０２、３０４は、第１及び２スキャン信号をスキャンラインＳ１〜Ｓ４に順に供給する（Ｓ４００）。
【００６３】
次いで、制御部３０６は、外部装置で入力される表示データを受信する（Ｓ４０２）。
続いて、第１及び２クロストーク防止部３１０、３１２は、表示データに対応する補償電流を各スキャンラインＳ１〜Ｓ４に印加する（Ｓ４０４）。その結果、各スキャンラインＳ１〜Ｓ４に流れる総電流は同一になる。
【００６４】
次いで、データ駆動部３０８は、制御部３０６から供給される表示データに対応するデータ信号をデータラインＤ１〜Ｄ４に供給する（Ｓ４０６）。その結果、ピクセルＥ１１〜Ｅ４４はクロストーク現象のない所望の輝度で発光する。
【００６５】
以上で説明した本発明は、例示の目的のために開示されたものであり、本発明に対する通常の知識を有した当業者であるならば、本発明の思想と範囲内で様々な修正、変更、付加が可能である。従って、このような修正、変更及び付加は、本発明の特許請求の範囲に属するものである。
【図面の簡単な説明】
【００６６】
【図１】（ａ）は従来の有機電界発光素子を図示したブロック図であり、（ｂ）は（ａ）のピクセル中の一部ピクセルに対する等価回路図である。
【図２】本発明の好ましい一実施形態に係る有機電界発光素子を図示したブロック図である。
【図３】図２の有機電界発光素子を駆動する方法を図示した流れ図である。
【図４】本発明の好ましい他の実施形態に係る有機電界発光素子を図示したブロック図である。
【図５】図４の有機電界発光素子の駆動方法を図示した流れ図である。
【符号の説明】
【００６７】
２００  パネル
２０２  スキャン駆動部
２０４  制御部
２０６  データ駆動部
２０８  クロストーク防止部
２１０  電流制御部
２１２  電流供給部
Ｄ１〜Ｄ４  データライン
Ｓ１〜Ｓ４  スキャンライン
Ｅ１１〜Ｅ４４  ピクセル
【図１】
2006323389.tif 000003
【図２】
2006323389.tif 000004
【図３】
2006323389.tif 000005
【図４】
2006323389.tif 000006
【図５】
2006323389.tif 000007